(57)【特許請求の範囲】
【請求項１】
内部に被切断物を挿通させることが可能な環状のフレームと、
前記フレームに取り付けられ、前記被切断物を切断するために用いられる環状のワイヤソー用ワイヤの途上を、前記フレームの略一周にわたってその内周に沿う状態に保持することが可能な保持部材と、
前記フレームに取り付けられ、前記ワイヤソー用ワイヤを前記フレームの内周に沿う方向からこのフレームと交差する方向に転向させるシーブと、
が備えられ、
前記保持部材は、前記ワイヤソー用ワイヤが走行するとこのワイヤソー用ワイヤによって切断されるように構成されていること
を特徴とするワイヤソー用ワイヤ保持装置。
【請求項２】
内部に被切断物を挿通させることが可能な環状のフレームと、
前記フレームに取り付けられ、前記被切断物を切断するために用いられる環状のワイヤソー用ワイヤの途上を、前記フレームの内周に沿う状態に保持することが可能な保持部材と、
前記フレームに取り付けられ、前記ワイヤソー用ワイヤを前記フレームの内周に沿う方向からこのフレームと交差する方向に転向させるシーブと、
前記ワイヤソー用ワイヤを、その張力を保持しつつ自身の線上に沿って回動させるワイヤ駆動装置と、
が備えられ、
前記保持部材は、前記ワイヤソー用ワイヤが走行するとこのワイヤソー用ワイヤによって切断されるように構成されており、
前記ワイヤ駆動装置は、地上に設置されていること
を特徴とするワイヤソー用ワイヤ保持装置。
【請求項３】
請求項１に記載のワイヤソー用ワイヤ保持装置において、
前記ワイヤソー用ワイヤを、その張力を保持しつつ自身の線上に沿って回動させるワイヤ駆動装置が備えられ、
前記ワイヤ駆動装置は、地上に設置されていること
を特徴とするワイヤソー用ワイヤ保持装置。
【請求項４】
請求項１〜３のいずれか一項に記載のワイヤソー用ワイヤ保持装置を備える既設杭の切断撤去システムであって、
既設杭を切断することが可能な環状のワイヤソー用ワイヤと、
前記既設杭の側周に沿って、この既設杭の切断位置より下方まで到達するようにケーシングチューブを挿入することが可能なオールケーシング掘削機と、
前記ワイヤソー用ワイヤを、その張力を保持しつつ自身の線上に沿って回動させるワイヤ駆動装置と、
前記ワイヤソー用ワイヤ保持装置のシーブによって転向された前記ワイヤソー用ワイヤを、前記既設杭の側面とケーシングチューブの内面との間の空隙を通じて前記ワイヤ駆動装置に案内する、ワイヤ案内手段と
を備えることを特徴とする既設杭の切断撤去システム。
【請求項５】
請求項４に記載の既設杭の切断撤去システムであって、
前記既設杭の切断位置より下方において、前記既設杭とケーシングチューブとの間を閉塞することが可能な閉塞手段を備えること
を特徴とする既設杭の切断撤去システム。
【請求項６】
請求項４または５に記載の既設杭の切断撤去システムであって、
前記既設杭の上部を保持し、引き上げることが可能な揚重手段を備えること
を特徴とする既設杭の切断撤去システム。
【請求項７】
請求項６に記載の既設杭の切断撤去システムを用いる既設杭の切断撤去方法であって、
前記揚重手段によって引き上げた既設杭の地上に突出する部分に、水平に貫通孔を形成し、この貫通孔に棒材（鋼材）を挿入し、この棒材の両端を地上の支持点で支持させた状態で、前記既設杭を前記貫通孔の位置より上方で切断することを特徴とする既設杭の切断撤去方法。
【発明の詳細な説明】
【０００１】
【発明の属する技術分野】
本発明は、既設杭の長さ方向の一部を撤去する場合などに適用可能な、ワイヤソー用ワイヤ保持装置、既設杭の切断撤去システム、および既設杭の切断撤去方法に関する。
【０００２】
【従来の技術】
建築物や土木構造物の基礎を構成するため、あるいは地盤改良などのために、地中に杭が打ち込まれていることがある。このような建築物や土木構造物を解体してその場所に新しい建築物や土木構造物を構築しようとする場合や、地中にシールド工法によってトンネルを構築する場合など、地中に埋設されている既設杭を撤去する必要が生じることがある。
例えば、都市部などにおいては、シールドの通過予定路線途上に既設杭が埋まったまま残されている場合がある。この場合、シールドを通過させる前に、この既設杭を撤去しておく必要がある。
【０００３】
既設杭の撤去方法としては、既設杭の側周の地盤の摩擦抵抗を無くすかあるいは軽減し、既設杭のみを引き上げる方法がある。この種の技術は、例えば特許文献１などに開示されている。
【０００４】
しかし、この方法では、既設杭の長さが長い場合、地盤の掘削深さやケーシングの打ち込み深さが長くなり、多大な労力や費用を要する。
これに対し、既設杭の一部のみを撤去すれば済む場合には、その撤去すべき部分の下端において既設杭を切断し、その切断位置より上方を撤去すればよい。
【０００５】
しかしながら、既設杭を、地中に埋設された状態のままで切断するためには、例えば図８に示すように、既設杭１０４の側周の地盤を掘削して空中に露出させる必要があり、施工に大きな労力を要していた。
また、既設杭の側周に沿ってケーシングを圧入し、このケーシングと既設杭の側周面との空隙を利用して、ウォータージェットを用いて切断を行う場合には、既設杭に内蔵された鉄筋や鉄骨などを切断するのに、かなりの時間を要していた。
【０００６】
【特許文献１】
特開平６−４１９６０号公報（図１〜図３）
【０００７】
【発明が解決しようとする課題】
本発明の課題は、地中に埋設された既設杭を、地表面より下方において簡便に切断することのできる、ワイヤソー用ワイヤ保持装置、既設杭の切断撤去システム、および既設杭の切断撤去方法を提供することである。
【０００８】
【課題を解決するための手段】
以上の課題を解決するため、請求項１に記載の発明であるワイヤソー用ワイヤ保持装置１は、例えば図１〜図７に示すように、内部に被切断物（既設杭）４を挿通させることが可能な環状のフレーム１１と、
前記フレーム１１に取り付けられ、前記被切断物４を切断するために用いられる環状のワイヤソー用ワイヤ２の途上を、前記フレーム１１の略一周にわたってその内周に沿う状態に保持することが可能な保持部材１２と、
前記フレーム１１に取り付けられ、前記ワイヤソー用ワイヤ２を前記フレーム１１の内周に沿う方向からこのフレーム１１と交差する方向に転向させるシーブ１３〜１６と、
が備えられ、
前記保持部材１２は、前記ワイヤソー用ワイヤ２が走行するとこのワイヤソー用ワイヤ２によって切断されるように構成されていること
を特徴とする。
請求項２に記載の発明は、例えば図１〜図７に示すように、内部に被切断物（既設杭）４を挿通させることが可能な環状のフレーム１１と、
前記フレーム１１に取り付けられ、前記被切断物４を切断するために用いられる環状のワイヤソー用ワイヤ２の途上を、前記フレーム１１の略一周にわたってその内周に沿う状態に保持することが可能な保持部材１２と、
前記フレーム１１に取り付けられ、前記ワイヤソー用ワイヤ２を前記フレーム１１の内周に沿う方向からこのフレーム１１と交差する方向に転向させるシーブ１３〜１６と、
前記ワイヤソー用ワイヤ２を、その張力を保持しつつ自身の線上に沿って回動させるワイヤ駆動装置３２と、
が備えられ、
前記保持部材１２は、前記ワイヤソー用ワイヤ２が走行するとこのワイヤソー用ワイヤ２によって切断されるように構成されており、
前記ワイヤ駆動装置３２は、地上に設置されていること
を特徴とする。
請求項３に記載の発明は、例えば図１〜７に示すように、請求項１に記載のワイヤソー用ワイヤ保持装置１でにおいて、
前記ワイヤソー用ワイヤ２を、その張力を保持しつつ自身の線上に沿って回動させるワイヤ駆動装置３２が備えられ、
前記ワイヤ駆動装置３２は、地上に設置されていること
を特徴とする。
【０００９】
請求項１〜３に記載の発明によれば、保持部材でワイヤソー用ワイヤの途上をフレームの内周に沿う状態に保持させつつ、ワイヤソー用ワイヤ保持装置のフレームを被切断物の切断位置を囲むように配置し、ワイヤソー用ワイヤ保持装置のシーブによって転向されたワイヤソー用ワイヤを引き出してワイヤ駆動装置に連結してワイヤソー用ワイヤを自身の線上に沿って回動させると、保持部材がワイヤソー用ワイヤによって切断されて、フレームの内部にある被切断物の切断位置に当接し、この状態でワイヤソー用ワイヤを走行させ続けることで、被切断物を切断することができる。
また、ワイヤソー用ワイヤによって切断される保持部材の厚みを変えることによって、被切断物を切断開始する位置を制御することができる。
【００１０】
特に、被切断物が、場所打ち鉄筋コンクリート杭やコンクリート充填鋼管杭、または、工場などで製作されるＰＣ杭、ＰＨＣ杭、ＳＣ杭などの既製コンクリート杭など、地中に埋設された既設杭である場合には、既設杭の側周に沿って地盤にケーシングチューブを挿入して既設杭の側面とケーシングチューブとの間の土砂を除去した後、既設杭の切断位置の側周を取り囲むように、ワイヤソー用ワイヤ保持装置のフレームを配置し、ワイヤソー用ワイヤ保持装置のシーブによって転向されたワイヤソー用ワイヤを、既設杭の側面とケーシングチューブの側面との間の空隙から引き出してワイヤ駆動装置に連結し、ワイヤソー用ワイヤを走行させて、上記と同じ仕組みで、既設杭を所望の切断位置で切断することができる。
また、既設杭の全長のうち、一部のみを撤去すればよい場合には、その撤去すべき部位の下端において既設杭を切断し、この切断位置より上方の杭体のみを引き上げて撤去すれば良いので、既設杭の撤去に要する労力や費用を軽減できる。
【００１５】
請求項４に記載の発明は、例えば図１〜図３に示すように、請求項１〜３のいずれか一項に記載のワイヤソー用ワイヤ保持装置１を備える既設杭の切断撤去システム３であって、
既設杭４を切断することが可能な環状のワイヤソー用ワイヤ２と、
前記既設杭４の側周に沿って、この既設杭４の切断位置Ｃより下方まで到達するようにケーシングチューブ５を挿入することが可能なオールケーシング掘削機３１と、
前記ワイヤソー用ワイヤ２を、その張力を保持しつつ自身の線上に沿って回動させるワイヤ駆動装置３２と、
前記ワイヤソー用ワイヤ保持装置１のシーブ１３〜１６によって転向された前記ワイヤソー用ワイヤ２を、前記既設杭４の側面とケーシングチューブ５の内面との間の空隙を通じて前記ワイヤ駆動装置３２に案内する、ワイヤ案内手段（シーブ）３３ａ〜３３ｄと
を備えることを特徴とする。
ここで、上記既設杭とは、場所打ち鉄筋コンクリート杭やコンクリート充填鋼管杭、または、工場などで製作されるＰＣ杭、ＰＨＣ杭、ＳＣ杭などの既製コンクリート杭、のことを指す。
【００１６】
請求項４に記載の発明によれば、オールケーシング掘削機で、既設杭の側周に沿って、この既設杭の切断位置より下方まで到達するようにケーシングチューブを挿入し、既設杭の側面とケーシングチューブとの間の土砂を除去した後、既設杭の切断位置の側周を取り囲むように、ワイヤソー用ワイヤの途上を地上で保持したままワイヤソー用ワイヤ保持装置を既設杭の切断位置まで降ろし、ワイヤソー用ワイヤ保持装置のシーブによって転向され、既設杭の側面とケーシングチューブの側面との間の空隙から地上へ引き上げられたワイヤソー用ワイヤの途上を、ワイヤ案内手段を経由してワイヤ駆動装置に導き、このワイヤ駆動装置でワイヤソー用ワイヤを走行させて、保持部材をワイヤソー用ワイヤによって切断して、フレームの内部にある既設杭の切断位置に当接させ、この状態でワイヤソー用ワイヤを走行させ続けることで、既設杭を切断することができる。
また、既設杭の全長のうち、一部のみを撤去すればよい場合には、その撤去すべき部位の下端において既設杭を切断し、この切断位置より上方の杭体のみを引き上げて撤去すれば良いので、既設杭の撤去に要する労力や費用を軽減できる。
【００１７】
請求項５に記載の発明は、例えば図１に示すように、請求項４に記載の既設杭の切断撤去システム３であって、
前記既設杭４の切断位置Ｃより下方において、前記既設杭４とケーシングチューブ５との間を閉塞することが可能な閉塞手段（パッカ）３５を備えること
を特徴とする。
【００１８】
請求項５に記載の発明によれば、請求項４に記載の発明と同様の効果が得られるとともに、既設杭の切断位置より下方において、既設杭とケーシングチューブとの間を閉塞することが可能な閉塞手段を備えるので、土砂や被圧した地下水が、ケーシングチューブの下端から内部に流入するのが防止される。したがって、既設杭の切断位置において、既設杭を切断するために用いるワイヤソー用ワイヤ保持装置を設置する空間を確実に確保することができる。
【００１９】
請求項６に記載の発明は、例えば図１に示すように、請求項４または５に記載の既設杭の切断撤去システム３であって、
前記既設杭４の上部を保持し、引き上げることが可能な揚重手段３４を備えること
を特徴とする。
【００２０】
請求項６に記載の発明によれば、請求項４または５に記載の発明と同様の効果が得られるとともに、既設杭の上部を保持し、引き上げることが可能な揚重手段を備えるので、ワイヤソー用ワイヤにより既設杭を切断している途中に、ワイヤソー用ワイヤが既設杭の重量で押しつぶされて切断が不可能になることがない。
そして、既設杭の切断後、揚重手段によって、既設杭の切断位置より上の部分を吊り上げて撤去することができる。
【００２１】
請求項７に記載の発明は、請求項６に記載の既設杭の切断撤去システムを用いる既設杭の切断撤去方法であって、
前記揚重手段３４によって引き上げた既設杭４の地上に突出する部分に、水平に貫通孔を形成し、この貫通孔に棒材を挿入し、この棒材の両端を地上の支持点で支持させた状態で、前記既設杭を前記貫通孔の位置より上方で切断すること
を特徴とする。
【００２２】
請求項７に記載の発明によれば、揚重手段によって引き上げた既設杭の地上に突出する部分に、水平に貫通孔を形成し、この貫通孔に棒材を挿入し、この棒材の両端を地上の支持点で支持させた状態で、既設杭を貫通孔の位置より上方で切断することにより、揚重手段で保持された既設杭を切断しても、既設杭の切断位置より下方が落ちこむことがなく、既設杭の切断位置より上方を撤去することができる。
【００２３】
【発明の実施の形態】
以下に、本発明のワイヤソー用ワイヤ保持装置、ワイヤソー用ワイヤ、既設杭の切断撤去システム、および既設杭の切断撤去方法の実施の形態を、図面を参照して説明する。
本実施の形態のワイヤソー用ワイヤ保持装置、ワイヤソー用ワイヤ、既設杭の切断撤去システム、および既設杭の切断撤去方法は、地中に埋設された場所打ち鉄筋コンクリート既設杭（被切断物）４のうち、地下に別途構築されるトンネルと干渉する部分を、切断して除去するために用いられている。
【００２４】
図１は、本実施の形態の既設杭の切断撤去システムの概略を示す図である。
図２、図３はそれぞれ、この既設杭の切断撤去システムで用いられるワイヤソー用ワイヤ保持装置の設置状況を示す、横断面図、縦断面図である。
図４は、上記ワイヤソー用ワイヤ保持装置の詳細を示すもので、（ａ）は上面図、（ｂ）は断面図である。図５は、ワイヤソー用ワイヤ保持装置におけるシーブの構造を示すもので、（ａ）は正面図、（ｂ）、（ｃ）は断面図である。
図６、図７はそれぞれ、この既設杭の切断撤去システムで用いられるワイヤソー用ワイヤの側面図、断面図である。
【００２５】
既設杭の切断撤去システム３は、図１〜図３に示すように、後述するワイヤソー用ワイヤ保持装置１を備える既設杭の切断撤去システム３であって、既設杭４を切断することが可能な環状のワイヤソー用ワイヤ２と、既設杭４の側周に沿って、この既設杭４の切断位置Ｃより下方まで到達するようにケーシングチューブ５を挿入することが可能なオールケーシング掘削機３１と、ワイヤソー用ワイヤ２を、その張力を保持しつつ自身の線上に沿って回動させるワイヤ駆動装置３２と、ワイヤソー用ワイヤ保持装置１のシーブ１３〜１６によって転向されたワイヤソー用ワイヤ２を、既設杭４の側面とケーシングチューブ５の内面との間の空隙を通じてワイヤ駆動装置３２に案内する、ワイヤ案内手段（シーブ）３３ａ〜３３ｄと、を備えて、概略構成されたものである。
【００２６】
ワイヤソー用ワイヤ保持装置１は、例えば図２〜図４に示すように、内部に既設杭（被切断物）４を挿通させることが可能な、金属製の円環状のフレーム１１と、フレーム１１に取り付けられ、前記被切断物４を切断するために用いられる環状のワイヤソー用ワイヤ２の途上を、前記フレーム１１の内周に沿う状態に保持することが可能な保持部材１２と、フレーム１１に取り付けられ、前記ワイヤソー用ワイヤ２を前記フレーム１１の内周に沿う方向からこのフレーム１１と交差する方向に転向させるシーブ１３〜１６と、を備えている。
保持部材１２は、アルミニウムやプラスチックなど、ワイヤソー用ワイヤ２で切断可能な素材で構成されており、ワイヤソー用ワイヤ２が走行すると、これによって切断されるように、フレーム１１の内周面に取り付けられている。
を特徴とする。
【００２７】
ワイヤソー用ワイヤ保持装置には、図４に示すように、８つのシーブ１３〜１６が取り付けられている。シーブ１３〜１６は、同一の形状に形成されたものであって、これらの正面図、断面図をそれぞれ、図５（ａ）、（ｂ）に示す。シーブ１３〜１６上におけるワイヤソー用ワイヤの走路面の半径ｒは、３５ｍｍに設定されている。
ワイヤソー用ワイヤ２は、地上に設置されたワイヤ駆動装置３３からシーブ（ワイヤ案内手段）３３ａ，３３ｂに案内されて、既設杭４の側面とケーシングチューブ５の内面との間の空隙を通じてワイヤソー用ワイヤ保持装置１に入る。
【００２８】
そして、ワイヤソー用ワイヤ保持装置１に備えられた鉛直向きのシーブ１３とシーブ１４とに案内されて、フレーム１１内の、既設杭４の切断位置に誘導される。そして、フレーム１１の面と平行に取り付けられたシーブ１５とシーブ１６を経由してから、所定間隔で設けられた保持部材１２によって、フレーム１１の内面を既設杭４の切断位置で一周するように案内される。
そして、再びシーブ１６、シーブ１５、シーブ１４、シーブ１３を経由して、ワイヤソー用ワイヤ保持装置１を抜け出してケーシングチューブ５の内面との間の空隙を通じて地上に戻り、シーブ（ワイヤ案内手段）３３ｃ，３３ｄに案内されて、ワイヤ駆動装置３２に戻る。
ワイヤ駆動装置３２が駆動すると、上記経路で、環状のワイヤソー用ワイヤ２が循環する。
【００２９】
ワイヤソー用ワイヤ２は、図６，図７に示すように、ジョイントスリーブなどを用いずに環状にあらかじめ一体に成型されることで接合部がなく、また切断性能を向上させるため、メビウスの輪の原理を利用し、あらかじめワイヤーソウワイヤーの走行方向に対し左巻きに捩れが入っている、属や炭素繊維などからなる直径５ｍｍのエンドレスワイヤ２１の側面に、所定の弾力性と強度とを備える被覆部２２と強化スプリング２３とが設けられるとともに、所定間隔で台金２５に燒結されたダイヤモンドビーズ部２４が設けられている。ダイヤモンドビーズ２４焼結部の直径は、およそ１０．５ｍｍである。このようにして、ワイヤソー用ワイヤ２は、その全長にわたって、シーブ１３〜１６およびシーブ３３ａ〜３３ｄの走路面の半径ｒよりも小さい曲率半径で曲がる状態に形成されている。
【００３０】
各シーブ１３〜１６は、その回転抵抗が小さくなるように、フレーム１１に対して、図５（ｃ）に示すベアリングを用いて固定されている。
前記シーブ１３〜１６に形成された前記ワイヤソー用ワイヤ２の走路面の半径ｒは、５０ｍｍ以下に設定されていること
を特徴とする。
前記ワイヤソー用ワイヤ２を前記フレーム１１の内周に沿う方向からこのフレーム１１と交差する方向に転向させるシーブ１３〜１６と、を備えている
【００３１】
このワイヤソー用ワイヤ保持装置１、ワイヤソー用ワイヤ２、および既設杭の切断撤去システム３を利用した、既設杭４の切断撤去手順について説明する。
まず、既設杭４の軸芯に、その上部から既設杭４の切断しようとする切断位置Ｃまで到達するように穿孔機で孔を空ける。この孔にゲビンデスタブなどのアンカー材４１を挿入し、セメントミルクなどの固化材でアンカー材４１を既設杭４に固着させる。
【００３２】
また、既設杭４の上方に設置したオールケーシング掘削機３１で、既設杭の側周に沿って、既設杭４の切断しようとする切断位置Ｃより下方まで到達するように、ケーシングチューブ５を回転圧入する。そして、既設杭４とケーシングチューブ５との間の土砂をウォータージェットと泥水吸引ポンプによって除去してから、既設杭４の切断位置Ｃより下方において、既設杭４とケーシングチューブ５との間を閉塞するパッカ（閉塞手段）３５を設置する。
【００３３】
また、オールケーシング掘削機３１でケーシングチューブ５の回転圧入を行うのと同時に、ケーシングチューブ５の先端位置において高圧のウォータージェットを噴出させると、ケーシングチューブ５の回転圧入を円滑に行える。
この場合には、ケーシングチューブ５の下端部に、既設杭４とケーシングチューブ５との間を閉塞することが可能なパッカを予め取り付けておくとともに、泥水を排出させるための孔を既設杭４に沿って設けておき、ウォータージェットの噴出に伴って発生する泥水を、この孔から排出させる。
【００３４】
次いで、既設杭４とケーシングチューブ５との間の空隙に上記のワイヤソー用ワイヤ保持装置１を、既設杭４の切断位置Ｃまで降下させて設置する。この際、ワイヤソー用ワイヤ保持装置１に鋼製枠（図示省略）を順次継ぎ足し、この鋼製枠を支持することで、ワイヤソー用ワイヤ保持装置１を下降させる。これにより、既設杭４の切断位置Ｃに、ワイヤソー用ワイヤ保持装置１を水平に設置することができる。
【００３５】
そして、既設杭４に定着されたアンカー材４１を、オールケーシング掘削機３１のジャッキ、センターホールジャッキ、ウインチなどの揚重手段３４で既設杭４に引上げ力を付与しつつ、ワイヤ駆動装置３２を駆動させる。
ワイヤ駆動装置３２が、図１に示すように、レール３２ａ上を移動することによって、ワイヤソー用ワイヤ２が弛むことなく、張力がほぼ一定に保たれたまま、既設杭４の側周に張られたワイヤソー用ワイヤ２が徐々に絞られていき、既設杭４が切断される。
【００３６】
そして、既設杭４の切断位置Ｃより上方を揚重手段３４で適宜の長さだけ引き上げ、地上に突出した部分をワイヤソー用ワイヤで切断し撤去することを繰り返して、既設杭のうち、地下に別途構築されるトンネルと干渉する部分を、引き上げて除去する。
既設杭４を揚重手段３４で保持した状態で、この既設杭４の地上に突出する部分を切断するには、既設杭４の切断位置より下方に水平に貫通孔（図示省略）を空けて、この貫通孔に鋼材（棒材）（図示省略）を挿入し、この鋼材の両端を地上の支持点（図示省略）で支持させる。これにより、揚重手段３４で保持された既設杭４を切断しても、既設杭４の切断位置より下方が落下しない。
【００３７】
本実施の形態に記載のワイヤソー用ワイヤ保持装置１によれば、保持部材１２でワイヤソー用ワイヤ２の途上をフレーム１１の内周に沿う状態に保持させつつ、ワイヤソー用ワイヤ保持装置１のフレーム１１を既設杭４の切断位置を囲むように配置し、ワイヤソー用ワイヤ保持装置１１のシーブ１３〜１６によって転向されたワイヤソー用ワイヤ２を引き出してワイヤ駆動装置３２に連結してワイヤソー用ワイヤ２を自身の線上に沿って回動させると、保持部材１２がワイヤソー用ワイヤ２によって切断されて、フレーム１１の内部にある既設杭４の切断位置Ｃに当接し、この状態でワイヤソー用ワイヤ２を走行させ続けることで、既設杭４を切断することができる。
また、ワイヤソー用ワイヤ２によって切断される保持部材１２の厚みを変えることによって、既設杭４を切断開始する位置を制御することができる
【００３８】
特に、被切断物が、地中に埋設された既設杭４であるので、既設杭４の側周に沿って地盤にケーシングチューブ５を挿入して既設杭４の側面とケーシングチューブ５との間の土砂を除去した後、既設杭４の切断位置Ｃの側周を取り囲むように、ワイヤソー用ワイヤ保持装置１のフレーム１１を配置し、ワイヤソー用ワイヤ保持装置１１のシーブ１３〜１６によって転向されたワイヤソー用ワイヤ２を、既設杭４の側面とケーシングチューブ５の側面との間の空隙から引き出してワイヤ駆動装置３２に連結し、ワイヤソー用ワイヤ２を走行させて、既設杭４を所望の切断位置Ｃで切断することができる。
また、既設杭４の全長のうち、撤去すべき部位の下端において既設杭４を切断し、この切断位置Ｃより上方の杭体のみを引き上げて撤去すれば良いので、既設杭４の撤去に要する労力や費用を軽減できる。
【００３９】
また、シーブ１３〜１６に形成されたワイヤソー用ワイヤ２の走路面の半径ｒが５０ｍｍ以下に設定されているので、既設杭４の側周に沿って地盤にケーシングチューブ５を挿入して既設杭４の側面とケーシングチューブ５との間に空隙を形成し、既設杭４の切断位置Ｃの側周を取り囲むようにワイヤソー用ワイヤ保持装置１のフレーム１１を配置して、上記空隙を利用してワイヤソー用ワイヤ２を駆動装置３２に連結して走行させる際に、この空隙の幅が比較的小さくても、既設杭４を切断することが可能となる。
【００４０】
また、本実施の形態に記載のワイヤソー用ワイヤ２によれば、その全長が、ワイヤソー用ワイヤ保持装置１１のシーブ１３〜１６の走路面の半径よりも小さい曲率半径で曲がる状態に形成されているので、シーブ１３〜１６からワイヤソー用ワイヤ２が外れるのを防止できる。
【００４１】
また、本実施の形態に記載の既設杭の切断撤去システム３によれば、オールケーシング掘削機３１で、既設杭４の側周に沿って、この既設杭４の切断位置Ｃより下方まで到達するようにケーシングチューブ５を挿入し、既設杭４の側面とケーシングチューブ５との間の土砂を除去した後、既設杭４の切断位置の側周を取り囲むように、ワイヤソー用ワイヤ２の途上を地上で保持したままワイヤソー用ワイヤ保持装置１を既設杭４の切断位置Ｃまで降ろし、ワイヤソー用ワイヤ保持装置１のシーブ１３〜１６によって転向され既設杭４の側面とケーシングチューブ５の側面との間の空隙から地上へ引き上げられたワイヤソー用ワイヤ２の途上を、シーブ３３ａ〜３３ｄを経由してワイヤ駆動装置３２に導き、このワイヤ駆動装置３２でワイヤソー用ワイヤ２を走行させて、保持部材１２をワイヤソー用ワイヤ２によって切断して、フレーム１１の内部にある既設杭４の切断位置Ｃに当接させ、この状態でワイヤソー用ワイヤ２を走行させ続けることで、既設杭４を切断することができる。
また、既設杭４の全長のうち、その撤去すべき部位の下端において既設杭４を切断し、この切断位置Ｃより上方の杭体のみを引き上げて撤去すれば良いので、既設杭の撤去に要する労力や費用を軽減できる。
【００４２】
また、既設杭４の切断位置Ｃより下方において、既設杭４とケーシングチューブ５との間を閉塞することが可能なパッカ３５を備えるので、土砂や被圧した地下水が、ケーシングチューブ５の下端から内部に流入するのが防止される。したがって、既設杭４の切断位置において、既設杭４を切断するために用いるワイヤソー用ワイヤ保持装置４を設置する空間を確実に確保することができる。
【００４３】
また、既設杭４の上部を保持し、引き上げることが可能な揚重手段３４を備えるので、ワイヤソー用ワイヤ２により既設杭４を切断している途中に、ワイヤソー用ワイヤ２が既設杭４の重量で押しつぶされて切断が不可能になることがない。
そして、既設杭４の切断後、揚重手段３５によって、既設杭４の切断位置Ｃより上の部分を吊り上げて撤去することができる。
【００４４】
また、本実施の形態に記載の既設杭の切断撤去方法によれば、揚重手段３４によって引き上げた既設杭４の地上に突出する部分に、水平に貫通孔を形成し、この貫通孔に鋼材を挿入し、この鋼材の両端を地上の支持点で支持させた状態で、既設杭を貫通孔の位置より上方で切断することにより、揚重手段３５で保持された既設杭４を切断しても、既設杭４の切断位置より下方が落ちこむことがなく、既設杭４の切断位置より上方を撤去することができる。
【００４５】
なお、本発明のワイヤソー用ワイヤ保持装置、ワイヤソー用ワイヤ、既設杭の切断撤去システム、および既設杭の切断撤去方法は、上記の実施の形態に限定されることなく、本発明の趣旨を逸脱しない範囲において、種々の改良並びに設計の変更を行っても良い。
例えば、上記の実施の形態では、既設杭４の切断位置Ｃより上方を揚重手段３４で適宜の長さだけ引き上げ、地上に突出した部分をワイヤソー用ワイヤで切断し撤去することを繰り返しているが、既設杭の上方の空間が十分にある場合には、既設杭４の切断位置Ｃより上方を、クレーンなどの揚重手段３４で一度に引き上げても良い。
その他、具体的な細部構造等についても適宜に変更可能であることは勿論である。
【００４６】
【発明の効果】
請求項１〜３に記載の発明によれば、保持部材でワイヤソー用ワイヤの途上をフレームの内周に沿う状態に保持させつつ、ワイヤソー用ワイヤ保持装置のフレームを被切断物の切断位置を囲むように配置し、ワイヤソー用ワイヤ保持装置のシーブによって転向されたワイヤソー用ワイヤを引き出してワイヤ駆動装置に連結してワイヤソー用ワイヤを自身の線上に沿って回動させると、保持部材がワイヤソー用ワイヤによって切断されて、フレームの内部にある被切断物の切断位置に当接し、この状態でワイヤソー用ワイヤを走行させ続けることで、被切断物を切断することができる。
また、ワイヤソー用ワイヤによって切断される保持部材の厚みを変えることによって、被切断物を切断開始する位置を制御することができる
【００４７】
特に、被切断物が、場所打ち鉄筋コンクリート杭やコンクリート充填鋼管杭、または、工場などで製作されるＰＣ杭、ＰＨＣ杭、ＳＣ杭などの既製コンクリート杭など、地中に埋設された既設杭である場合には、既設杭の側周に沿って地盤にケーシングチューブを挿入して既設杭の側面とケーシングチューブとの間の土砂を除去した後、既設杭の切断位置の側周を取り囲むように、ワイヤソー用ワイヤ保持装置のフレームを配置し、ワイヤソー用ワイヤ保持装置のシーブによって転向されたワイヤソー用ワイヤを、既設杭の側面とケーシングチューブの側面との間の空隙から引き出してワイヤ駆動装置に連結し、ワイヤソー用ワイヤを走行させて、上記と同じ仕組みで、既設杭を所望の切断位置で切断することができる。
また、既設杭の全長のうち、一部のみを撤去すればよい場合には、その撤去すべき部位の下端において既設杭を切断し、この切断位置より上方の杭体のみを引き上げて撤去すれば良いので、既設杭の撤去に要する労力や費用を軽減できる。
【００５０】
請求項４に記載の発明によれば、オールケーシング掘削機で、既設杭の側周に沿って、この既設杭の切断位置より下方まで到達するようにケーシングチューブを挿入し、既設杭の側面とケーシングチューブとの間の土砂を除去した後、既設杭の切断位置の側周を取り囲むように、ワイヤソー用ワイヤの途上を地上で保持したままワイヤソー用ワイヤ保持装置を既設杭の切断位置まで降ろし、ワイヤソー用ワイヤ保持装置のシーブによって転向され、既設杭の側面とケーシングチューブの側面との間の空隙から地上へ引き上げられたワイヤソー用ワイヤの途上を、ワイヤ案内手段を経由してワイヤ駆動装置に導き、このワイヤ駆動装置でワイヤソー用ワイヤを走行させて、保持部材をワイヤソー用ワイヤによって切断して、フレームの内部にある既設杭の切断位置に当接させ、この状態でワイヤソー用ワイヤを走行させ続けることで、既設杭を切断することができる。
また、既設杭の全長のうち、一部のみを撤去すればよい場合には、その撤去すべき部位の下端において既設杭を切断し、この切断位置より上方の杭体のみを引き上げて撤去すれば良いので、既設杭の撤去に要する労力や費用を軽減できる。
【００５１】
請求項５に記載の発明によれば、請求項４に記載の発明と同様の効果が得られるとともに、既設杭の切断位置より下方において、既設杭とケーシングチューブとの間を閉塞することが可能な閉塞手段を備えるので、土砂や被圧した地下水が、ケーシングチューブの下端から内部に流入するのが防止される。したがって、既設杭の切断位置において、既設杭を切断するために用いるワイヤソー用ワイヤ保持装置を設置する空間を確実に確保することができる。
【００５２】
請求項６に記載の発明によれば、請求項４または５に記載の発明と同様の効果が得られるとともに、既設杭の上部を保持し、引き上げることが可能な揚重手段を備えるので、ワイヤソー用ワイヤにより既設杭を切断している途中に、ワイヤソー用ワイヤが既設杭の重量で押しつぶされて切断が不可能になることがない。そして、既設杭の切断後、揚重手段によって、既設杭の切断位置より上の部分を吊り上げて撤去することができる。
【００５３】
請求項７に記載の発明によれば、揚重手段３４によって引き上げた既設杭４の地上に突出する部分に、水平に貫通孔を形成し、この貫通孔に棒材を挿入し、この棒材の両端を地上の支持点で支持させた状態で、既設杭を貫通孔の位置より上方で切断することにより、揚重手段で保持された既設杭を切断しても、既設杭の切断位置より下方が落ちこむことがなく、既設杭の切断位置より上方を撤去することができる。
【図面の簡単な説明】
【図１】本発明に係る既設杭の切断撤去システムの一例を示す、断面図である。
【図２】図１の要部を示す、横断面図である。
【図３】図１の要部を示す、縦断面図である。
【図４】本発明に係るワイヤソー用ワイヤ保持装置の一例を示すもので、（ａ）は上面図、（ｂ）は断面図である。
【図５】図５におけるシーブの構造を示すもので、（ａ）は正面図、（ｂ）、（ｃ）は断面図である。
【図６】本発明に係るワイヤソー用ワイヤの一例を示す、側面図である。
【図７】本発明に係るワイヤソー用ワイヤの一例を示す、断面図である。
【図８】従来の既設杭の切断撤去方法を示す、断面図である。
【符号の説明】
１                ワイヤソー用ワイヤ保持装置
２                ワイヤソー用ワイヤ
３                既設杭の切断撤去システム
４                既設杭（被切断物）
５                ケーシングチューブ
１１              フレーム
１２              保持部材
１３〜１６        シーブ
３１              オールケーシング掘削機
３２              ワイヤ駆動装置
３３ａ〜３３ｄ    ワイヤ案内手段（シーブ）
３４              揚重手段（クレーン）
３５              閉塞手段（パッカ）
Ｃ                （既設杭の）切断位置
ｒ                （シーブの）走路面の半径
【図１】
0003700784.tif 000002
【図２】
0003700784.tif 000003
【図３】
0003700784.tif 000004
【図４】
0003700784.tif 000005
【図５】
0003700784.tif 000006
【図６】
0003700784.tif 000007
【図７】
0003700784.tif 000008
【図８】
0003700784.tif 000009